(57)【特許請求の範囲】
【請求項１】
パターンを転写するローラー状の押し型（以下「ローラーモールド」という）を作製するローラーモールド作製方法において、
前記作製前のローラーモールドにレジストを塗布するステップと、
最終仕上がりパターン中の回転方向に長いスリット状のパターンの長さを短縮して当該パターンの幅とほぼ同じ幅を持つ電子線が透過するパターンを有するマスクを、前記レジストを塗布した作製前のローラーモールドの所定位置に近接して位置づけるステップと、
前記近接して位置づけた状態で、電子線を前記マスクに照射しつつ当該マスク上のパターンを透過した電子線を前記作製前のローラーモールド上のレジストに露光しつつ回転させるステップと、
前記作製前のローラーモールド上に塗布したレジストに露光しつつ回転させて一周あるいは露光に必要な部分を回転して露光するステップと、
前記回転させて露光した後、前記作製前のローラーモールド上の露光されたレジストを現像するステップと、
前記現像した後の作製前のローラーモールドをエッチングし、前記マスク上のパターンに対応するスリット状の前記最終仕上がりパターンの幅と同じ幅を持つパターンを当該作製前のローラーモールド上に形成するステップと
を有するローラーモールド作製方法。
【請求項２】
前記マスクで作製前のローラーモールドの回転方向に露光を行った後、回転方向と直角方向の隣接する位置に前記マスクを移動させて位置づけた後、当該マスクでローラーモールドを回転しつつ露光することを繰り返すことを特徴とする請求項１記載のローラーモールド作製方法。
【請求項３】
前記マスクで作製前のローラーモールド上に塗布したレジストに露光する際に、露光開始位置および露光終了位置で所定時間だけ回転を停止し、パターンの始点および終点の露光を行うことを特徴とする請求項１あるいは請求項２記載のローラーモールド作製方法。
【請求項４】
前記最終仕上がりパターン中の回転方向に長いスリット状のパターンの長さを短縮して当該パターンの幅とほぼ同じ幅を持つたパターンを作製し、当該作製したパターンを前記マスクにレジストを塗布して電子線描画した後に現像し、更に、エッチングして電子線が透過するパターンを当該マスクに作製したことを特徴とする請求項１から請求項３のいずれかに記載のローラーモールド作製方法。
【請求項５】
前記長さを短縮したパターンとして、ほぼ矩形のパターンあるいは回転方向の長さを小さくした矩形のパターンとしたことを特徴とする請求項４記載のローラーモールド作製方法。
【請求項６】
前記マスク上に形成する長さを短縮したパターンが複数並列にある場合には、当該複数並列を複数に分割して各分割群のパターン毎に回転方向にそれぞれ所定距離ずらし、複数並列のパターン間の回転方向と直角方向のピッチを大きくしたことを特徴とする請求項１から請求項５のいずれかに記載のローラーモールド作製方法。
【請求項７】
前記マスクを電子線で全面照射し、当該マスク上に形成したパターンを透過した電子線を電磁型あるいは静電型の縮小レンズを用いて前記作製前のローラーモールドに塗布したレジスト上に縮小したパターンを形成し、回転しつつ露光することを特徴とする請求項１から請求項６のいずれかに記載のローラーモールド作製方法。
【発明の詳細な説明】
【技術分野】
【０００１】
本発明は、パターンを転写するローラー状の押し型を作製するローラーモールド作製方法に関するものである。
【背景技術】
【０００２】
従来、ＬＥＤやＬＤなどの光学デバイスの表面、あるいは内部に光の波長程度の周期構造をつくることによって光学デバイスの特性を制御する、あるいは改良することが行われている。このような目的の周期構造はいろいろな微細加工によって作製するが、その中でも現在もっとも有力視されている技術の１つにナノインプリント技術がある。
【０００３】
ナノインプリント等の押し型転写に使えわれるモールド（押し型）は光学的な露光装置によって製作していた。
【発明の開示】
【発明が解決しようとする課題】
【０００４】
上述したモールド上に作製するパターンのサイズが３００ｎｍ位を下回る場合には光学的な方法では波長の限界のために解像力が不足する。このような場合には、電子線露光装置を使用して微細なパターンをモールド上に作製するが、電子線露光装置を用いた描画では描画に非常に多くの時間がかかり、特に、大面積のモールドではスループットが極めて低くなり、ひいてはコストが非常に高いものとなってしまうという問題があった。
【０００５】
特に、大面積化の方法のひとつとしてローラー型モールドが提案されている。従来のローラー型モールドの製作法は大面積モールドを金属薄膜などの可擁性の材料で作製し、ローラーに貼り付けるものであった。このため、上述したコストの問題に加えて、更に、貼り付けるモールドに切れ目があるためローラーの１回転でパターンに継ぎ目が残る欠点があるという問題があった。
【０００６】
また、電子線描画装置でステンシルマスクを作成し、これをローラー型モールドに転写することが考えられる。この際、当該ステンシルマスクの開口部のパターンがローラー型モールドの回転方向に長い場合、例えば幅に比して１００倍以上長いスリット状を複数並列に並べる開口パターンの場合にはスリット状の開口パターンと隣接する開口パターンとの間のスリット状の部分が変形してしまい、特に幅に比して更に１０００倍ものスリット状の開口パターンが並列するステンシルマスクの作製が困難となってしまう事態が発生した。
【課題を解決するための手段】
【０００７】
本発明は最終仕上がりパターンのうち回転方向にスリット状のパターンについて短縮したパターンのマスクを電子線描画で作製し、作製したマスクを電子線露光でローラモールド上に回転しつつマスク露光した後に現像し、スリット状の並列したパターンを有する大面積のローラモールドを精度良好かつ短時間に作製してスループットを向上させると共に継ぎ目のないローラーモールドを作製することを目的としている。
【０００８】
そのために、本発明は、パターンを転写するローラー状の押し型を作製するローラーモールド作製方法において、ローラーモールドにレジストを塗布するステップと、最終仕上がりパターン中の回転方向に長いスリット状のパターンの長さを短縮した電子線が透過するパターンを有するマスクを、レジストを塗布したローラーモールドの所定位置に近接して位置づけるステップと、近接して位置づけた状態で、電子線をマスクに照射しつつマスク上のパターンを透過した電子線をローラーモールド上のレジストに露光しつつ回転させるステップと、ローラーモールド上に塗布したレジストに露光しつつ回転させて一周あるいは露光に必要な部分を回転して露光するステップと、回転して露光した後、ローラーモールド上の露光されたレジストを現像するステップと、現像した後のローラーモールドをエッチングし、マスク上のパターンに対応するスリット状のパターンをローラーモールド上に形成するステップとを有する。
【０００９】
この際、マスクでローラーモールドの回転方向に露光を行なった後、回転方向と直角方向の隣接する位置にマスクを移動させて位置づけた後、マスクでローラーモールドを回転しつつ露光することを繰り返すようにしている。
【００１０】
また、マスクでローラーモールド上に塗布したレジストに露光する際に、露光開始位置および露光終了位置で所定時間だけ回転を停止し、パターンの始点および終点の露光を行うようにしている。
【００１１】
また、最終仕上がりパターン中の回転方向に長いスリット状のパターンの長さを短縮したパターンを作製し、作製したパターンをマスクにレジストを塗布して電子線描画した後に現像し、更に、エッチングして電子線が透過するパターンをマスクに作製するようにしている。
【００１２】
また、長さを短縮したパターンとして、ほぼ矩形のパターンあるいは回転方向の長さを小さくした矩形のパターンとするようにしている。
【００１３】
また、マスク上に形成する長さを短縮したパターンが複数並列にある場合には、複数並列を複数に分割して各分割群のパターン毎に回転方向にそれぞれ所定距離ずらし、複数並列のパターン間の回転方向と直角方向のピッチを複数倍に大きくするようにしている。
【００１４】
また、マスクを電子線で全面照射し、マスク上に形成したパターンを透過した電子線を電磁型あるいは静電型の縮小レンズを用いてローラーモールドに塗布したレジスト上に縮小したパターンを形成し、回転しつつ露光するようにしている。
【発明の効果】
【００１５】
本発明は、最終仕上がりパターンのうち回転方向にスリット状のパターンについて短縮したパターンのマスクを電子描画で作製し、作製したマスクを電子線露光でローラモールド上に回転しつつマスク露光した後に現像することにより、スリット状の並列したパターンを有する大面積のローラモールドを精度良好かつ短時間に作製してスループットを向上させると共に継ぎ目のないローラーモールドを作製することが可能となる。
【発明を実施するための最良の形態】
【００１６】
本発明は、最終仕上がりパターンのうち回転方向にスリット状のパターンについて短縮したパターンのマスクを電子描画で作製し、作製したマスクを電子線露光でローラモールド上に回転しつつマスク露光した後に現像し、スリット状の並列したパターンを有する大面積のローラモールドを精度良好かつ短時間に作製してスループットを向上させると共に継ぎ目のないローラーモールドを作製することを実現した。
【実施例１】
【００１７】
図１は、本発明の動作説明フローチャートを示す。
【００１８】
図１において、Ｓ１は、レジストをローラーモールドに塗布する。これは、後述する図５のローラーモールド２にレジストを塗布する。
【００１９】
Ｓ２は、ステンシルマスクをセットする。これは、Ｓ１でレジストを塗布したローラーモールド２に近接して、図５に示すように、ステンシルマスク１をセットする。ステンシルマスク１は、後述する図２のフローチャートに従い、後述する図３の（ａ）の最終仕上がりパターンの場合には、図３の（ｂ）のマスク（ステンシルマスク１）に示すように、回転方向にスリット状の長いパターンを短縮してほぼ矩形のパターンが当該ステンシルマスク１上の開口パターンとして形成されている。
【００２０】
Ｓ３は、モールドの回転初期位置の検出を行う。これは、Ｓ２でステンシルマスクをセットした、例えば図５のローラーモールド２上に予め設けたアライメントマーク１３を基準に当該ローラーモールド２の回転初期位置の検出を行い、記憶する。
【００２１】
Ｓ４は、電子線を照射して所定時間待つ。これは、Ｓ２、Ｓ３で後述する図５に示すようにステンシルマスク１をローラーモールド２に近接してセットした状態で、電子線をステンシルマスク１の全面に照射し、当該ステンシルマスク１上に形成された図３の（ｂ）の矩形の開口パターンを通過した電子線をローラーモールド２上に塗布したレジストに露光し、始点の部分を露光するに充分なだけの所定時間待つ。
【００２２】
Ｓ５は、ローラーモールドを一定速度で、一定方向に回転させる。これにより、Ｓ４で始点の部分に露光した後、ローラーモールドを回転させ、ステンシルマスク１の開口パターンを透過した電子線でスリット状に露光を連続して行いつつ回転させる。
【００２３】
Ｓ６は、終端でローラーモールドを停止させ、所定時間を経過させた後に、電子線照射を停止させる。これは、Ｓ５でローラーモールドを回転させつつステンシルマスク１の開口パターンを透過した電子線でスリット状に当該ローラーモールド上に露光した後、終点に到着したときに当該終点に露光するために充分な時間がだけ回転を停止させた後、電子線の照射を停止する。尚、Ｓ４からＳ６は、次のＳ７で１回転が検出されるまで、必要に応じて、ローラーモールド２上にステンシルマスク１で長いスリット状のパターンを繰り返し露光する。
【００２４】
Ｓ７は、１回転の検出か判別する。これは、Ｓ３で回転初期位置を基準に、１回転が検出されたか判別する。そして、更に、露光を継続すると判明した場合には、図５でステンシルマスク１を図示のステップ・アンド・リピートと記載したように、ローラーモールド２の回転方向と直角方向に所定距離だけ当該ステンシルマスク１（あるいはローラーモールド２）を移動させた後、Ｓ３に戻り、Ｓ３からＳ７をくり返す（ステップ・アンド・リピート）。これにより、図５のローラーモールド２に塗布されたレジストに、ステンシルマスク１のパターン（例えば図３の（ｂ））のパターン）をもとに回転方向に長いスリット状のパターンを正確かつ迅速にステップ・アンド・リピートして露光することが可能となる。一方、Ｓ７で継続しないと判明した場合には、ローラーモールド２への露光が全て終了したので、Ｓ８に進む。
【００２５】
Ｓ８は、ローラーモールドを現像、エッチングする。これにより、ローラーモールド２にステンシルマスク１上のパターンが回転方向にスリット状に形成されることとなる。
【００２６】
以上のように、最終仕上がりパターン（例えば図３の（ａ））の回転方向に長いスリット状のパターンについて長さを短縮したパターンをステンシルマスク１上に形成しておき（図３の（ｂ））、ローラーモールド２に近接して当該ステンシルマスク１を配置し、電子線３によりステンシルマスク１のパターンをローラーモールド２上に塗布したレジストに露光しつつ回転させて長いスリット状のパターンを露光した後、現像、エッチングすることにより、ローラーモールド２上にスリット状の長いパターンを正確かつ迅速に作製することが可能となる。以下順次詳細に説明する。
【００２７】
図２は、本発明のマスク作製フローチャートを示す。
【００２８】
図２において、Ｓ１１は、最終仕上がりパターンからステンシルマスクのパターンを作成する。例えば後述する図３の（ａ）の回転方向にスリット状に長い最終仕上がりパターンについて、回転方向を短縮してほぼ矩形のパターンした図３の（ｂ）のマスクに示すパターン（マスクパターン）を作成する。マスクパターンの幅Ｌ’は最終仕上がりパターンの幅Ｌと同じとし、マスクパターンの長さ（回転方向の長さ）Ｈ’は当該マスクパターンの幅Ｌ’とほぼ同じ（正方形）、あるいは小さくする（矩形）（ここでは、説明を簡単にするために同じ（正方形）、即ちＬ’＝Ｈ’＝Ｌとする）。
【００２９】
Ｓ１２は、強度計算等を行い、必要に応じてパターンの分割・変形を行う。これは、Ｓ１１で作製した例えば図３の（ｂ）のパターンについて、強度計算や近接効果などの当該パターンが適切にステンシルマスク１上に作製できるかチェックし、例えばパターンとパターンとの間が狭くて強度的に不足すると判明した場合、あるいは両者のパターンが近づすぎていわゆる近接効果により当該パターンを精度良好に製作できないと判明した場合などに、当該パターンの分割・変形を行う。パターンの分割・変形は、例えば図３の（ｂ）のパターンを、後述する図４の（ａ）のパターンのように、１群と２群とに分割して両者をピッチ分だけ回転方向にずらし、パターンとパターンとの間の距離を大きくして強度が充分あるいは近接効果があっても正確なパターンを作製できるようにする。
【００３０】
Ｓ１３は、ステンシルマスクパターンの描画データ（又は、ＣＡＤデータ）を作成する。これは、Ｓ１１（あるいはＳ１２）で作成した例えば図３の（ｂ）のパターン（あるいは図４の（ａ）のパターン）について、電子線描画装置で描画するためのデータ（描画データ）、又は、ＣＡＤデータを作成する。
【００３１】
Ｓ１４は、レジストを塗布したステンシルマスク基板にＥＢ描画を行う。これは、ステンシルマスク基板（通常は、シリコンウェハ）にレジストを均一に塗布し、図示外の電子線描画装置により、Ｓ１３で作成した描画データ（又はＣＡＤデータ）をもとに、例えば図３の（ｂ）のパターン（あるいは図４の（ａ）のパターン）をレジストに電子線描画して露光する。
【００３２】
Ｓ１５は、現像、エッチングする。これは、Ｓ１４でステンシルマスク基板上に塗布したレジストに図３の（ｂ）のパターン（あるいは図４の（ａ）のパターン）を電子線描画して露光した後、現像、エッチングし、パターンの部分を開口パターンにする。
【００３３】
Ｓ１６は、ステンシルマスクが完成する。これはＳ１４で現像、エッチング、更に余分はレジストを除去、洗浄、乾燥などし、図３の（ｂ）のパターン（あるいは図４の（ａ）のパターン）を開口パターンとして持つステンシルマスク１が完成する。
【００３４】
以上によって、例えば図３の（ａ）の最終仕上がりパターンがある場合に、当該パターン中の回転方向に長いスリット状のパターンについて、長さ方向を短縮してほぼ矩形パターンとした図３の（ｂ）のパターン（マスクパターン）（あるいは図４の（ａ）のパターン）を作成し、当該マスクパターンをステンシルマスク基板に塗布したレジストに電子線描画して露光、現像、エッチング、レジスト除去、洗浄などして図３の（ｂ）のパターン（開口パターン）（あるいは図４の（ａ）のパターン）を有するステンシルマスク１を作製することが可能となる。そして、既述した図１のフローチャートに従い、ローラーモールド２上に塗布したレジストに回転転写し、現像、エッチング、レジスト除去、洗浄などして図３の（ｃ）のローラーモールド（あるいは図４の（ｂ）のローラーモールド）を作製することが可能となる。
【００３５】
図３は、本発明の説明図を示す。
【００３６】
図３の（ａ）は、最終仕上がりパターンの例を示す。これは、ローラーモールド２を用いて形成する最終仕上がりのパターン（ＩＣウェハ上に形成するパターン）を模式的に表したものであって、ここでは、回転方向（ローラーモールド２の回転方向）にスリット状の長いパターンが複数並列に存在する例を示す。スリット状の長いパターンの幅をＬ，長さをＨ、パターンとパターンとの間の距離をＳとする。Ｈ／Ｓが１００位になると、当該パターンをそのままステンシルマスク１上の開口パターンとして作製すると、開口パターンと開口パターンとの間の部分が変形する現状が観察された。更にＨ／Ｓが１０００位になると、開口パターンと開口パターンとの間の部分が変形してしまい作製できなかった。尚、ステンシルマスク上の開口パターンは、通常、シリコンウェハの開口パターンを作製する部分の近傍を０．００１ｍｍ程度の薄膜にした後に開口パターンを作製する。
【００３７】
図３の（ｂ）は、マスク（ステンシルマスク）の例を示す。図示のステンシルマスク１は、図３の（ａ）の最終仕上がりパターン中の回転方向に長いスリット状のパターンについて、長さを短縮してほぼ矩形にしたパターンを作製した例を模式的に示す。図示のステンシルマスク１上のパターン（マスクパターン）の幅Ｌ’、長さＨ’、パターンとパターンとの間の距離をＳ’とすると、
・Ｌ’＝Ｌ
・Ｓ’＝Ｓ
・Ｈ’＝Ｌ’＝Ｌ
とした例を示す。
【００３８】
尚、マスクパターンの長さＨ’は、矩形とした大きさである必要はなく、更に幅Ｓ’よりも小さくしてもよい。
【００３９】
図３の（ｃ）は、ローラーモールドの例を示す。図示のローラーモールド２は、図３の（ｂ）のマスク１で回転転写して作製したパターン（図３の（ａ）の最終仕上がりパターンに相当するパターン）を模式的に示したものであって、ローラーモールド２上に凹凸として形成されたパターンの例を示す。図示のローラーモールド２上のパターンの幅Ｌ’’、長さＨ’’、パターンとパターンとの間の距離をＳ’’とすると、
・Ｌ’’＝Ｌ’
・Ｓ’’＝Ｓ’
・Ｈ’’＝（図１のＳ３からＳ５でローラーモールド２を回転させて露光した角度に相当する長さ）
となる。
【００４０】
図４は、本発明の他の説明図を示す。これは、図３の（ｂ）のステンシルマスク１上の並列の矩形パターンを２分割し、第１群と、第２群とをピッチに相当する距離だけ回転方向にずらした例を示す。これにより、第１群のパターンとパターンとの間の距離が３倍となり、ステンシルマスク１の開口パターンと開口パターンとの間の距離を、ここでは、３倍にでき、回転方向に長いスリット状のパターンとして極めて長いものでも、ステンシルマスク１を作製することを可能にした工夫である。
【００４１】
図４の（ａ）は、マスクの例を示す。これは、既述した図３の（ａ）の最終仕上がりパターンをもとに作製したステンシルマスク１上のパターンの例を示す。図３の（ａ）の最終仕上がりパターン中の並列パターンについて、２分割し、第１群と第２群とのパターンを回転方向にピッチ分（ここでは、第１群のパターンのピッチ分）だけずらした例を示す。図示の状態では、図３の（ｂ）のステンシルマスク１上のパターンとパターンとの間距離Ｓ’に比し、３倍となり、極めて回転方向に長いスリット状のパターンについて図４の（ａ）のマスクを作製することを可能にした工夫の例を示す。
【００４２】
図４の（ｂ）は、ローラーモールドの例を示す。これは、図４の（ａ）のマスクをもとに回転転写、現像、エッチングして作製したローラーモールド２上に形成したパターンの例であって、始点と終点の部分が図４の（ａ）のステンシルマスク１上の第１群と第２群のパターンでピッチ分だけずれているのでその分だけ異なる様子を示す。しかし、通常、幅Ｌ’’に対して長さＨ’’が極めて大きく（例えばＨ／Ｓ＝１００で１００倍）、実用上問題とならない。この図４では、特に、Ｓ’’が小さい場合に、ステンシルマスク１上にパターンを作製する場合に有効である。
【００４３】
図５は、本発明の構成説明図を示す。これは、近接マスク転写の様子を模式的に示したものである。
【００４４】
図５において、ステンシルマスク１は、電子線の透過する開口パターンを設けたマスクであって、電子線で回転転写するためのマスクである。
【００４５】
ローラーモールド２は、回転軸に取り付けた円筒上に形成したモールドである。ここでは、ローラーモールド２の表面には均一にレジストが塗布されている。
【００４６】
電子線３は、ローラーモールド２に近接して配置したステンシルマスク１の、ここでは、上から下に向けて全面照射する電子線である。尚、ステンシルマスク１上に形成されたパターンの部分について電子線で全面照射あるいは電子線で全面に渡って高速走査するようにしてもよい。
【００４７】
連続回転１１は、ローラーモールド２を所定速度で連続的に回転させる様子を示す。連続回転の際の回転角度の精度（ピッチ）は、回転軸を回転させるモータに設けられているエンコーダにより検出して精密に制御する。また、基準位置はローラーモールド２の所定位置に予め設定したアライメントマーク１３を図示外の光学顕微鏡あるいは走査型電子顕微鏡で検出して基準位置を決定する。同様に、ステンシルマスク１についても、予め設定したアライメントマーク１３を顕微鏡で検出して基準位置を決定し、両者の基準位置をもとに所定回転角度位置やピッチを制御する。更に、ローラーモールド２を回転させる回転機構部分にもアライメントマーク１３を予め設定しておき、回転初期値などのときに当該アライメントマーク１３をもとに設定する。
【００４８】
ステップ・アンド・リピート１２は、回転方向と直角方向にステンシルマスク１（あるいはローラーモールド２を含む回転機構）を移動させた状態で、連続回転１１を行いつつステンシルマスク１上のパターンを電子線でローラーモールド２上のレジストに露光することを繰り返すように制御するものである。
【００４９】
図６は、本発明の具体的装置例を示す。
【００５０】
図６において、電子光学系２１は、電子線をステンシルマスク１に照射して当該ステンシルマルク１上に形成された開口パターンを透過した電子線を、円筒状のローラーモールド２に塗布されたレジストに照射して露光するためのものであって、電子線を発生する電子銃、発生された電子線を集束および集束された電子線をステンシルマスク１上にほぼ平行に照射する照射系などから構成されるものである。
【００５１】
回転モータ（エンコーダ付）２２は、ローラーモールド２を所定回転角度のピッチで回転させるものである。所定回転角度のピッチは、当該回転モータ２２に接続されたエンコーダで精密に検出しつつ回転させる。
【００５２】
軸移動モータ２３は、ステージ２４をローラーモールド２の軸方向に正確に移動させるものであって、図示外のレーザ干渉計で移動量を計測しつつ精密に移動させるためのものである。
【００５３】
ステージ２４は、ローラーモールド２を回転可能な状態で搭載し、当該ローラーモールド２の回転方向に直角方向に精密に移動させるステージである。
【００５４】
ステンシルマスク１は、電子線を透過しない厚さを持ち、一様な膜に部分的に電子線を透過する開口のパターンを加工したものである。
【００５５】
試料室２０は、内部を真空に保持する部屋であって、ここでは、ローラーモールド２を搭載したステージ２４などを真空中に設置するためのものである。
【００５６】
次に、図５および図６の構成のもとで連続転写について詳細に説明および要点を説明する。
【００５７】
（１）パターンを形成するべき表面に電子線に感光する樹脂（レジスト）を塗布したローラーモールド２を回転軸で支持する。また、ローラーモールド２は回転軸に沿って１次元移動可能となっている。
【００５８】
（２）このローラーモールド２の表面に近接して（１００μｍ位）、開口パターンを有するステンシルマスク１を配置し、その上から電子線を照射する。この際、ステンシルマスク１およびローラーモールド２の任意の場所に予め設けたアライメントマーク１３をもとに、両者の位置合わせを行うと共に、データ開始の基点（例えば回転角度０°）を設定する。
【００５９】
（２−１）照射は必要な面積を同時に照射できる断面をもつ電子線でもよいし、細い電子線（電子線ビーム）を高速に走査して必要な面積を照射してもよい。
【００６０】
（２−２）また、照射する電子線の走行は出来るだけ相互に平行となるようにし、ステンシルマスク１の開口を出てからローラーモールド２の表面に到達するまでの電子線ビームの広がりを小さくする（電子線ビームの開き角αを小さくする）。ステンシルマスク１とローラーモールド２との間の間隙をd、形成すべき最小パターン幅をsとすると、電子線ビームの広がり角αは少なくとも  s／d（rad）より十分小さい必要がある。
【００６１】
例えばｄ＝５０μｍ、ｓ＝１００ｎｍとすると、ａ＜＜２ｍｒａｄとなる。
【００６２】
（３）ステージ２４を停止した状態でステンシルマスク１のパターン面に電子線照射を開始する。これによりローラーモールド２に塗布したレジスト上の電子線によって照射された領域が露光する。そして、ステンシルマスク１のパターンを全面照射した状態で、ローラーモールド２を一定速度で連続して回転させる。１回転したら（あるいは必要な回転方向の部分を露光したら）、軸方向に１ピッチ移動してから回転露光を繰り返す。尚、回転露光の始点と終点で所定時間だけ、停止させ、当該始点と終点の部分に必要な露光を行うようにする。
【００６３】
以上の操作を繰り返すことにより、ローラーモールド２上の必要領域の全てにステンシルマスク１上のパターンを回転露光できたこととなる。
【００６４】
（４）露光を終了したローラーモールド２を現像し、さらにエッチンクすることによりパターンがローラーモールド２上に回転転写されて形成される（図３の（ｃ）、図４の（ｂ）参照）。
【００６５】
図７は、本発明の縮小投影例を示す。
【００６６】
図７において、電子源３２は、電子線を発生する電子銃を構成する電子源である。
【００６７】
コンデンサレンズ３３は、電子源３２で発生された電子線を集束すると共にほぼ平行な電子線をステンシルマスク１に照射するものである。
【００６８】
ステンシルマスク１は、既述した電子線の通過する開口パターンを持つマスクである。
【００６９】
縮小レンズ系３４は、ステンシルマスク１の開口パターンを通過した電子線（電子線像）を縮小するレンズ系であって、電磁あるいは静電のレンズを用いて形成したものである。縮小レンズ系３４により、ステンシルマスク１上の開口パターンの像が、ローラーモールド２上で縮小されて投影されるので、ステンシルマスク１上の開口パターンのサイズを実際にローラーモールド２上に形成するパターンのサイズよりも大きく形成でき、ステンシルマスクの作製が容易となる。
【００７０】
以上の図７の縮小レンズ系３４によりローラーモールド２上に塗布したレジストにステンシルマスク１の開口パターンの縮小したパターンを露光することが可能となる。この縮小投影系を、図１から図６で説明したステンシルマスク１の開口パターンを直接にローラーモールド２に電子線で回転転写する構成と置き換えることにより、縮小倍率に相当した分だけステンシルマスク１上の開口パターンの寸法を大きくでき、ステンシルマスク１を容易に作製できる。
【産業上の利用可能性】
【００７１】
本発明は、最終仕上がりパターンのうち回転方向にスリット状のパターンについて短縮したパターンのマスクを電子描画で作製し、作製したマスクを電子線露光でローラモールド上に回転しつつマスク露光した後に現像し、スリット状の並列したパターンを有する大面積のローラモールドを精度良好かつ短時間に作製してスループットを向上させると共に継ぎ目のないローラーモールドを作製するローラーモールド作製方法に関するものである。
【図面の簡単な説明】
【００７２】
【図１】本発明の動作説明フローチャートである。
【図２】本発明のマスク作製フローチャートである。
【図３】本発明の説明図である。
【図４】本発明の他の説明図である。
【図５】本発明の構成説明図である。
【図６】本発明の具体的装置例である。
【図７】本発明の縮小投影例である。
【符号の説明】
【００７３】
１：ステンシルマスク
２：ローラーモールド
３：電子線
１１：連続回転
１２：ステップ・アンド・リピート
１３：アライメントマーク
２１：電子光学系
２２：回転モータ
２３：軸移動モータ
２４：ステージ
３２：電子源
３３：コンデンサレンズ
３４：縮小レンズ系
【図１】
0005288453.tif 000002
【図２】
0005288453.tif 000003
【図３】
0005288453.tif 000004
【図４】
0005288453.tif 000005
【図５】
0005288453.tif 000006
【図６】
0005288453.tif 000007
【図７】
0005288453.tif 000008